(57)【特許請求の範囲】
【請求項１】
任意の転送レートで供給される記録データを記録媒体上に記録するデータ記録装置において、
上記記録データに応じた第１のクロツク信号が供給され、当該供給された上記第１のクロツク信号の周期を上記転送レートが高くなるにつれて値が小さくなるように予め設定された所定数により逓倍し、第２のクロツク信号を生成するクロツク信号生成手段と、
供給される上記記録データと、上記クロツク信号生成手段から得られる上記第２のクロツク信号とに基づいて、上記転送レートが高いほど大きな強調量で高域成分を強調し、かつ振幅の補正値で被帯域を制限してなる上記記録データに応じた記録電流を生成する記録電流生成手段と、
上記記録電流生成手段から得られる上記記録電流に基づいて上記記録媒体に上記記録データを記録する記録手段と
を具えることを特徴とするデータ記録装置。
【請求項２】
上記記録電流生成手段は、
上記記録データと、上記第２のクロツク信号とに基づいて、上記転送レートに応じた高域成分の強調位置を示す少なくとも一種類の第１のタイミング信号と、上記被帯域の制限の作用を行うための少なくとも一種類の第２のタイミング信号とを生成するタイミング信号生成手段と、
上記転送レートに応じた上記記録電流の元となる第１の電流を発生する第１の電流発生手段と、
上記タイミング信号生成手段によつて生成される上記第１のタイミング信号の種類に対応して設けられ、上記タイミング信号生成手段から得られる対応する上記第１のタイミング信号に基づいて上記転送レートに応じた上記高域成分の強調量でなる第２の電流を発生する少なくとも１つの第２の電流発生手段と、
上記タイミング信号生成手段によつて生成される上記第２のタイミング信号の種類に対応して設けられ、上記タイミング信号生成手段から得られる対応する上記第２のタイミング信号に基づいて上記被帯域の制限のための第３の電流を発生する少なくとも１つの第３の電流発生手段と、
上記第１及び第２並びに第３の電流発生手段から得られる上記第１及び第２並びに第３の電流に基づいて上記記録電流を生成する電流生成手段と
を具えることを特徴とする請求項１に記載のデータ記録装置。
【請求項３】
上記タイミング信号生成手段は、
上記転送レートに応じて上記高域成分の強調位置の位相を変化させるように上記第１のタイミング信号を生成する
ことを特徴とする請求項２に記載のデータ記録装置。
【請求項４】
上記タイミング信号生成手段は、
予め設定された所定値以上の上記転送レートにおいては予め選定された所定波長よりも長い波長の上記記録電流において上記被帯域の制限の作用を行うための少なくとも一種類の上記第２のタイミング信号を生成し、上記所定値よりも低い上記転送レートにおいては全ての波長の上記記録電流において上記被帯域の制限の作用を行うための少なくとも一種類の上記第２のタイミング信号を生成する
ことを特徴とする請求項２に記載のデータ記録装置。
【発明の詳細な説明】
【０００１】
【目次】
以下の順序で本発明を説明する。
【０００２】
発明の属する技術分野
従来の技術（図８及び図９）
発明が解決しようとする課題（図８及び図９）
課題を解決するための手段（図１〜図７）
発明の実施の形態
（１）本実施の形態によるデータレコーダの構成（図１及び図２）
（２）記録電流の記録処理（図３〜図５）
（３）動作及び効果（図１〜図５）
（４）他の実施の形態（図１〜図７）
発明の効果
【０００３】
【発明の属する技術分野】
本発明はデータ記録装置に関し、例えば回転ドラムを用いたヘリカルスキヤン方式によりデイジタルでなる記録データを磁気テープ上に記録するデータレコーダに適用して好適なものである。
【０００４】
【従来の技術】
従来、データレコーダとして、ＡＮＳＩ（America National Standards Institute）によつて規格化されたＩＤ−１フオーマツトが適用されたものがある。
【０００５】
このＩＤ−１フオーマツトにおいては、記録データの記録フオーマツト、及び磁気テープにおけるトラツク長、トラツク幅、トラツクアングル及び記録波長等のフツトプリントのみが規定されており、回転ドラムの回転数（記録ヘツドの速度）、磁気テープの走行速度及び記録ヘツドの数等については特に規定されていない。
【０００６】
従つてこの種のデータレコーダでは、磁気テープの記録トラツク方向に対する記録ヘツドの相対速度を1/1 倍、1/2 倍、1/4 倍、1/8 倍、1/16倍、1/24倍等に可変速制御することができ、これにより記録データを例えば 100〔Mbps／チヤンネル〕程度から 4.2〔Mbps／チヤンネル〕程度までの間の所望の転送レートで記録再生し得るようになされている。
【０００７】
これによりこの種のデータレコーダにおいては、例えば人工衛星等から得られる転送レートの比較的速い観測データを実時間で記録する一方、当該記録した観測データをその記録時よりも遅い転送レートで再生したり、又は天体観測や道路状況（事故や渋滞の発生状況等）の監視等によつて得られる転送レートの比較的遅い観測データをそのままの転送レートで記録する一方、当該記録した観測データをその記録時よりも速い転送レートで再生する等のように、解析機器の転送レートに合わせて観測データを記録再生する用途等に広く利用されている。
【０００８】
【発明が解決しようとする課題】
ところでこの種のデータレコーダにおいては、回転ヘツドを比較的高速に回転させて記録ヘツドと磁気テープとの相対速度を確保し、当該磁気テープの有する短波長の記録能力を最大限活用することにより高密度記録と、高転送レートとを実現し得るようになされており、かくして例えば１チヤンネル当たりの記録レートを上述したように 100〔Mbps〕程度まで高速にすることができる。
【０００９】
ただしこのように 100〔Mbps〕程度の記録レートで記録データを記録した場合には、記録ヘツドの透磁率（高転送レートにより周波数が高くなると透磁率が低下する特性を有する）や、当該データレコーダ内部の記録アンプ等の周波数特性が限界に達してしまう。
【００１０】
これに対してこの種のデータレコーダでは、回転ヘツドを比較的低速に回転させることにより記録レートを例えば 4.2〔Mbps〕程度まで低下させることができ、この場合記録ヘツドの透磁率や、記録アンプ等の周波数特性は充分に余裕のある領域で理想的な状態となる。
【００１１】
このためこの種のデータレコーダでは、転送レートが比較的高いと記録ヘツドの透磁率や、記録アンプ等の周波数特性の影響を受け、記録データに応じた記録電流の波形パターンのエツジ部分が鈍化し、すなわち高域成分が低下する現象が生じたり、記録アンプと記録ヘツドとの共振により記録電流の最高周波数付近において振幅に持ち上がりが生じることによりこの記録電流の周波数特性が変わつてしまい、この結果として転送レートが異なると記録電流に基づいて磁気テープ上に記録した磁化パターンにおいて長波長の位相に対して短波長の位相が遅れる、いわゆるピークシフトの量が異なり当該磁化パターンが一致しなくなる問題があつた。
【００１２】
ところでかかる問題を解決するデータレコーダとして、従来、転送レートに応じて周波数特性が設定された複数のフイルタからなる高域成分の強調の働きを等化するための線形の第１の記録アンプと、転送レートに応じて周波数特性が設定された複数のフイルタからなる被帯域の制限を等化するための線形の第２の記録アンプとを用いて構成されたものがある。
【００１３】
この場合このデータレコーダでは、記録信号をその転送レートに対応する第１の記録アンプのフイルタに通すことによりエツジ部分の高域成分を予め強調するようにして当該高域成分の強調の働きを等化すると共に、記録信号をその転送レートに対応する第２の記録アンプのフイルタに通すことにより最高周波数付近の被帯域において高域成分の振幅の持ち上がりを押さえるようにして制限し、被帯域の制限を等化するようになされている。
【００１４】
ところがこのようなデータレコーダでは、第１及び第２の記録アンプとして例えば50〔％〕程度の効率のＡ級アンプを用いるために消費電力が比較的大きくなると共に、当該Ａ級アンプから発生する熱を放熱するための放熱板が必要となつてデータレコーダ全体の構成が煩雑になり大型化する問題があつた。
【００１５】
従つてこのように線形の第１及び第２の記録アンプを用いることにより生じる問題を解決し、さらに転送レートに応じて記録電流の周波数特性を変えるようなデータレコーダとして、図８に示すように構成されたものがある。
【００１６】
すなわちこの図８に示すデータレコーダ１においては、外部から所定の転送レートで供給されるデイジタルデータＤ１と当該デイジタルデータＤ１に応じた入力クロツク信号ＣＫ１とを信号処理回路２に取り込む。
【００１７】
この信号処理回路２は、記録データＤ１に所定の記録用信号処理を施すことにより図９（Ａ）に示すような記録データＤ２を生成し、これをスイツチングアンプ構成でなる記録アンプ３のエツジ抽出回路４に送出すると共に、入力クロツク信号ＣＫ１を記録データＤ２に応じた図９（Ｂ）に示すような所定の周期Ｔでなる第１のクロツク信号ＣＫ２に変換し、これをエツジ抽出回路４に送出する。
【００１８】
エツジ抽出回路４は、この第１のクロツク信号ＣＫ２に基づいて動作し、記録データＤ２が論理「１」レベルに立ち上がる時点及び論理「０」レベルに立ち下がる時点を検出し、この検出結果に基づいて、エツジ部分の高域成分の低下を見込んで予めその高域成分を強調する位置を示すタイミング信号ＥＳを生成する。そしてこのエツジ抽出回路４は、記録データＤ２を第１の切換え器５に送出すると共に、タイミング信号ＥＳを第２の切換え器６に送出する。
【００１９】
因みにこのタイミング信号ＥＳは、図９（Ｃ）に示すように第１のクロツク信号ＣＫ２に同期し、記録データＤ２が論理「１」レベルに立ち上がる時点及び論理「０」レベルに立ち下がる時点からそれぞれこの第１のクロツク信号ＣＫ２の周期Ｔの間だけ論理「１」レベルに立ち上がることによりこの論理「１」レベルによつて高域成分の強調位置を示すようになされている。
【００２０】
第１の切換え器５は、トランスデユーサ７の１次側に中間タツプ７Ａを介して設けられた２つのコイルのうち一方のコイルに第１の接点ａ1 が接続されていると共に、他方のコイルに第２の接点ｂ1 が接続されており、記録データＤ２が論理「０」レベルに立ち下がつている間は出力端子ｃ1 に取り付けられた切換えスイツチを第１の接点ａ1 に接続し、この記録データＤ２が論理「１」レベルに立ち上がつている間は当該切換えスイツチを第２の接点ｂ1 に接続するように当該記録データＤ２に基づいて切換えスイツチの接続を順次切り換える。
【００２１】
また第２の切換え器６は、第１の接点ａ2 が接地接続されていると共に、第１の切換え器５の切換えスイツチに第２の接点ｂ2 が接続されており、タイミング信号ＥＳが論理「０」レベルに立ち下がつている間は出力端子ｃ2 に取り付けられた切換えスイツチを第１の接点ａ2 に接続し、このタイミング信号ＥＳが論理「１」レベルに立ち上がつている間は当該切換えスイツチを第２の接点ｂ2 に接続するように当該タイミング信号ＥＳに基づいて切換えスイツチの接続を順次切り換える。
【００２２】
ここで制御回路８は、外部からデイジタルデータＤ１に対する転送レートの情報が与えられており、この転送レートに応じた第１の制御信号Ｓ１を第１の可変電流源９に送出すると共に、当該転送レートに応じた高域成分の強調量（転送レートが比較的高くなると強調量が大きくなる）に基づく第２の制御信号Ｓ２を第２の可変電流源１０に送出する。
【００２３】
これにより第１の可変電流源９は、第１の制御信号Ｓ１に基づいて記録電流の元となる第１の電流ＩO を発生すると共に、第２の可変電流源１０は、第２の制御信号Ｓ２に基づいて転送レートに応じた高域成分の強調量でなる第２の電流ＩEOを発生する。
【００２４】
そしてこの場合トランスデユーサ７の中間タツプ７Ａには、所定の正電圧ＶCCを発生させる第１の電圧源（図示せず）が接続されていると共に、第１及び第２の可変電流源９及び１０の出力端が接続された端子１１には、所定の負電圧ＶEEを発生させる第２の電圧源（図示せず）が接続されている。
【００２５】
従つて第１の可変電流源９から発生される第１の電流ＩO は、第１の切換え器５の切換えスイツチが第１の接点ａ1 に接続されている間は、トランスデユーサ７の中間タツプ７Ａから第１の切換え器５の第１の接点ａ1 と出力端子ｃ1 と第１の可変電流源９とを順次介して端子１１に流れ、第１の切換え器５の切換えスイツチが第２の接点ｂ1 に接続されている間は、トランスデユーサ７の中間タツプ７Ａから当該第２の接点ｂ1 と出力端子ｃ1 と第１の可変電流源９とを順次介して端子１１に流れる。
【００２６】
また第２の可変電流源１０から発生される第２の電流ＩEOは、第２の切換え器６の切換えスイツチが第１の接点ａ2 に接続されている間は、当該接地接続されている第１の接点ａ2 から出力端子ｃと第２の可変電流源１０とを順次介して端子１１に流れ、第２の切換え器６の切換えスイツチが第２の接点ｂ2 に接続されている間は、トランスデユーサ７の中間タツプ７Ａから第１の切換え器５の第１又は第２の接点ａ1 又はｂ1 と第２の切換え器６の第２の接点ｂ2 と出力端子ｃと第２の可変電流源１０とを順次介して端子１１に流れる。因みに第２の切換え器６の第２の接点ｂ2 では、当該第２の切換え器６の切換え動作に応じて図９（Ｄ）に示すように第２の電流ＩEOが間欠的に流れることになる。
【００２７】
この結果第１の切換え器５と、第２の切換え器６と、第１の可変電流源９とを接続する接続点１２には、図９（Ｅ）に示すように、第２の切換え器６の切換えスイツチが第１の接点ａ2 に接続されている間は、第１の電流Ｉ0 がそのまま記録元電流Ｉ1 として流れ、また第２の切換え器６の切換えスイツチが第２の接点ｂ2 に接続されている間は第１の電流Ｉ0 が第２の電流ＩEO分だけ増加して（すなわち電流値がＩ0 ＋ＩEOとなり）これが記録元電流Ｉ1 として流れる。
【００２８】
そしてトランスデユーサ７は、１次側に流れる記録元電流Ｉ1 の向きが第１の切換え器５の切換え動作に応じて反転することにより、当該記録元電流Ｉ1 を一方又は他方のコイルと２次側のコイルとの間において予め設定された所定の変換比に応じて、図９（Ｆ）に示すように、記録データＤ２の論理「１」レベルへの立ち上がり及び論理「０」レベルへの立ち下がりに応じて極性を反転させ、エツジ部分の高域成分を強調してなる記録電流Ｉ2 に変換し、これを２次側からロータリートランス１３を介して記録ヘツド１４に与える。
【００２９】
このとき磁気テープ及び記録ヘツド１４の記録トラツク方向の相対速度は、デイジタルデータＤ１に対する転送レートに応じて可変速制御されており、これにより記録ヘツド１４は、転送レートに応じた最高周波数でなり、エツジ部分の高域成分が強調されてなる記録電流Ｉ2 に基づいて、磁気テープ上に磁化パターンを形成する。
【００３０】
このようにしてこのデータレコーダ１では、転送レートが異なる場合でも記録電流の高域成分を当該転送レートに応じて予め強調し、かくして高域成分の強調の働きを等化させることができるようになされている。
【００３１】
ところでこのデータレコーダ１では、スイツチングアンプ構成でなる記録アンプ３を用いることにより、上述したような線形の第１及び第２の記録アンプを用いた際に生じる問題を解決することができるものの、記録電流の高域成分の強調の働きを等化するに留まり、被帯域の制限を等化し難いために、転送レートが異なる場合に記録媒体上にほぼ同一な磁化パターンを形成し難い問題があつた。
【００３２】
本発明は以上の点を考慮してなされたもので、転送レートが異なる場合でも記録媒体上にほぼ同一な磁化パターンを形成し得るデータ記録装置を提案しようとするものである。
【００３３】
【課題を解決するための手段】
かかる課題を解決するため本発明においては、記録データに応じた第１のクロツク信号が供給され、当該供給された第１のクロツク信号の周期を転送レートが高くなるにつれて値が小さくなるように予め設定された所定数により逓倍し、第２のクロツク信号を生成するクロツク信号生成手段と、供給される記録データと、クロツク信号生成手段から得られる第２のクロツク信号とに基づいて、転送レートが高いほど大きな強調量で高域成分を強調し、かつ振幅の補正値で被帯域を制限してなる記録データに応じた記録電流を生成する記録電流生成手段と、当該記録電流生成手段から得られる記録電流に基づいて記録媒体に記録データを記録する記録手段とを設けるようにした。
【００３４】
この結果、転送レートが異なる場合でも記録電流に対して高域成分の強調の働きを等化すると共に、被帯域の制限を等化し、記録時に記録電流の周波数特性をほぼ一致させることができる。
【００３５】
【発明の実施の形態】
以下図面について、本発明の一実施の形態を詳述する。
【００３６】
（１）本実施の形態によるデータレコーダの構成
図８との対応部分に同一符号を付して示す図１において、２０は全体として本実施の形態によるデータレコーダを示し、外部から所定の転送レートで供給されるデイジタルデータＤ１と当該デイジタルデータＤ１に応じた入力クロツク信号ＣＫ１とを信号処理回路２に取り込む。
【００３７】
信号処理回路２は、デイジタルデータＤ１に対して並列化処理、誤り訂正信号の生成付加処理、時間圧縮処理及びＮＲＺ（Non Return to Zero）変調等の記録用信号処理を施すことにより記録データＤ２を生成し、これをスイツチングアンプ構成でなる記録アンプ２１の波形等化情報生成回路２２に送出すると共に、入力クロツク信号ＣＫ１を記録データＤ２に応じた第１のクロツク信号ＣＫ２に変換し、これをクロツク逓倍器２３に送出する。
【００３８】
この場合クロツク逓倍器２３には、制御回路２４からデイジタルデータＤ１に対する転送レートの情報（以下、これを転送レート情報と呼ぶ）が与えられており、これによりクロツク逓倍器２３は、この転送レート情報に応じて予め設定された所定数により第１のクロツク信号ＣＫ２の周期を逓倍（1/1 倍、1/2 倍、1/4 倍）し、得られた第２のクロツク信号ＣＫｎを波形等化情報生成回路２２に送出する。
【００３９】
波形等化情報生成回路２２は、第２のクロツク信号ＣＫｎに基づいて動作し、第２のクロツク信号ＣＫｎに同期させ、論理「０」レベルから論理「１」レベルに立ち上がることにより高域成分の強調位置を示す第１のタイミング信号ＨＳ0 を生成すると共に、被帯域の制限の作用を行うための第２のタイミング信号ＨＳ1 を生成する。
【００４０】
そしてこの波形等化情報生成回路２２は、記録データＤ２を第１の切換え器５に送出すると共に、第１のタイミング信号ＨＳ0 を第２の切換え器６に送出し、さらに第２のタイミング信号ＨＳ1 を第３の切換え器２５に送出する。
【００４１】
第１の切換え器５は、トランスデユーサ７の１次側に中間タツプ７Ａを介して設けられた２つのコイルのうち一方のコイルに第１の接点ａ1 が接続されていると共に、他方のコイルに第２の接点ｂ1 が接続されており、記録データＤ２が論理「０」レベルに立ち下がつている間は出力端子ｃ1 に取り付けられた切換えスイツチを第１の接点ａ1 に接続し、この記録データＤ２が論理「１」レベルに立ち上がつている間は当該切換えスイツチを第２の接点ｂ1 に接続するように当該記録データＤ２に基づいて切換えスイツチの接続を順次切り換える。
【００４２】
また第２の切換え器６は、第１の接点ａ2 が接地接続されていると共に、第１の切換え器５の切換えスイツチに第２の接点ｂ2 が接続されており、第１のタイミング信号ＨＳ0 が論理「０」レベルに立ち下がつている間は出力端子ｃ2 に取り付けられた切換えスイツチを第１の接点ａ2 に接続し、この第１のタイミング信号ＨＳ0 が論理「１」レベルに上がつている間は当該切換えスイツチを第２の接点ｂ2 に接続するように当該第１のタイミング信号ＨＳ0 に基づいて切換えスイツチの接続を順次切り換える。
【００４３】
さらに第３の切換え器２５は、第１の接点ａ3 が接地接続されていると共に、第１の切換え器５の切換えスイツチに第２の接点ｂ3 が接続されており、第２のタイミング信号ＨＳ1 が論理「０」レベルに立ち下がつている間は出力端子ｃ3 に取り付けられた切換えスイツチを第１の接点ａ3 に接続し、この第２のタイミング信号ＨＳ1 が論理「１」レベルに立ち上がつている間は当該切換えスイツチを第２の接点ｂ3 に接続するように当該第２のタイミング信号ＨＳ1 に基づいて切換えスイツチの接続を順次切り換える。
【００４４】
このとき制御回路２４は、転送レート情報に応じた第１の制御信号Ｓ１を第１の可変電流源９に送出すると共に、当該転送レート情報に応じた高域成分の強調量に基づく第２の制御信号Ｓ２を第２の可変電流源１０に送出し、さらに転送レート情報に応じた被帯域の高域成分の補正値に基づく第３の制御信号Ｓ３を第３の可変電流源２６に送出する。
【００４５】
これにより第１の可変電流源９は、その第１の制御信号Ｓ１に基づいて記録電流の元となる第１の電流ＩO −ＩE1を発生する。
【００４６】
また第２の可変電流源１０は、第２の制御信号Ｓ２に基づいて、転送レートが異なる場合でも高域成分の強調の働きを等化させるように転送レートに応じた高域成分の強調量でなる第２の電流ＩEOを発生する。
【００４７】
さらに第３の可変電流源２６は、第３の制御信号Ｓ３に基づいて、転送レートが異なる場合でも被帯域の制限を等化させるように被帯域の高域成分の補正値でなる第３の電流ＩＥ１を発生する。
【００４８】
ところでトランスデユーサ７の中間タツプ７Ａには、所定の正電圧ＶCCを発生させる第１の電圧源（図示せず）が接続されていると共に、第１〜第３の可変電流源９、１０及び２６の出力端に接続された端子１１には、所定の負電圧ＶEEを発生させる第２の電圧源（図示せず）が接続されている。
【００４９】
このためまず第１の可変電流源９によつて発生される第１の電流ＩO −ＩE1のみを考えた場合、当該第１の電流ＩO −ＩE1は、第１の切換え器５の切換えスイツチが第１の接点ａ1 に接続されている間は、トランスデユーサ７の中間タツプ７Ａから第１の切換え器５の第１の接点ａ1 と出力端子ｃ1 と第１の可変電流源９とを順次介して端子１１に流れ、これに対して第１の切換え器５の切換えスイツチが第２の接点ｂ1 に接続されている間は、トランスデユーサ７の中間タツプ７Ａから当該第２の接点ｂ1 と出力端子ｃ1 と第１の可変電流源９とを順次介して端子１１に流れる。
【００５０】
また第２の可変電流源１０から発生される第２の電流ＩEOのみを考えた場合、この第２の電流ＩEOは、第２の切換え器６の切換えスイツチが第１の接点ａ2 に接続されている間は、当該接地接続されている第１の接点ａ2 から出力端子ｃ2 と第２の可変電流源１０とを順次介して端子１１に流れ、これに対して第２の切換え器６の切換えスイツチが第２の接点ｂ2 に接続されている間は、トランスデユーサ７の中間タツプ７Ａから第１の切換え器５の第１又は第２の接点ａ1 又はｂ1 と第２の切換え器６の第２の接点ｂ2 と出力端子ｃ2 と第２の可変電流源１０とを順次介して端子１１に流れる。
【００５１】
さらに第３の可変電流源２６から発生される第３の電流ＩE1のみを考えた場合、当該第３の電流ＩE1は、第３の切換え器２５の切換えスイツチが第１の接点ａ3 に接続されている間は、当該接地接続されている第１の接点ａ3 から出力端子ｃ3 と第３の可変電流源２６とを順次介して端子１１に流れ、これに対して第３の切換え器２５の切換えスイツチが第２の接点ｂ3 に接続されている間は、トランスデユーサ７の中間タツプ７Ａから第１の切換え器５の第１又は第２の接点ａ1 又はｂ1 と第３の切換え器２５の第２の接点ｂ3 と出力端子ｃ3 と第３の可変電流源２６とを順次介して端子１１に流れる。
【００５２】
従つて実際に第２の切換え器６の切換えスイツチが第１の接点ａ2 に接続され、かつ第３の切換え器２５の切換えスイツチが第１の接点ａ3 に接続されているときには、第１の切換え器５の出力端子ｃ1 、第２及び第３の切換え器６及び２５の第２の接点ｂ2 及びｂ3 及び第１の可変電流源９が接続された接続点１２と、トランスデユーサ７の１次側の中間タツプ７Ａとの間に第１の電流ＩO −ＩE1がそのまま記録元電流Ｉ1 として流れる。
【００５３】
また第２の切換え器６の切換えスイツチが第２の接点ｂ2 に接続され、かつ第３の切換え器２５の切換えスイツチが第１の接点ａ3 に接続されているときには、接続点１２及び中間タツプ７Ａ間に第１の電流ＩO −ＩE1が第２の電流ＩEO分だけ増加してなる（すなわち電流値がＩO −ＩE1＋ＩEOとなる）記録元電流Ｉ1 が流れる。
【００５４】
さらに第２の切換え器６の切換えスイツチが第１の接点ａ2 に接続され、かつ第３の切換え器２５の切換えスイツチが第２の接点ｂ3 に接続されているときには、接続点１２及び中間タツプ７Ａ間に第１の電流ＩO −ＩE1が第３の電流ＩE1分だけ増加してなる（すなわち電流値がＩO となる）記録元電流Ｉ1 が流れる。
【００５５】
さらに第２の切換え器６の切換えスイツチが第２の接点ｂ2 に接続され、かつ第３の切換え器２５の切換えスイツチが第２の接点ｂ3 に接続されているときには、接続点１２及び中間タツプ７Ａ間に第１の電流ＩO −ＩE1が第２の電流ＩEO及び第３の電流ＩE1分増加してなる（すなわち電流値がＩO ＋ＩE1となる）記録元電流Ｉ1 が流れる。
【００５６】
因みにトランスデユーサ７の１次側では、この記録元電流Ｉ1 が第１の切換え器５の切換えスイツチが第１の接点ａ1 に接続されている間は一方のコイルを矢印Ｘ1 に示す左方向に流れ、当該第１の切換え器５の切換えスイツチが第２の接点ｂ1 に接続されている間は他方のコイルを左方向に流れる。
【００５７】
そしてこのトランスデユーサ７では、１次側の一方のコイル及び２次側のコイルと、他方のコイル及び２次側のコイルとの間において予め設定された所定の変換比ｍｔに応じて次式
【００５８】
【数１】
0003937260.tif 000002
【００５９】
で表されるように１次側に流れる記録元電流Ｉ1 を、記録電流Ｉ2 に変換し、これを２次側のコイルに流すことができるようになされている。
【００６０】
実際上トランスデユーサ７は、１次側の一方のコイルに（左方向に）記録元電流Ｉ1 が流れているときには、これを転送レートに応じてエツジ部分の高域成分が強調され、かつ被帯域の高域成分が補正されてなる（すなわち被帯域を制限してなる）プラス側の波形分の記録電流Ｉ2 に変換し、これを２次側のコイルから（左方向に流して）ロータリートランス１３に供給する。
【００６１】
またこのトランスデユーサ７は、１次側の他方のコイルに（右方向に）記録元電流Ｉ1 が流れているときには、同様に転送レートに応じてエツジ部分の高域成分が強調され、かつ被帯域の高域成分が補正されてなる（すなわち被帯域を制限してなる）マイナス側の波形分の記録電流Ｉ2 に変換し、これを２次側のコイルから（右方向に流して）ロータリートランス１３に供給する。
【００６２】
ロータリートランス１３は、予め設定された変換比ｍｒに応じて次式
【００６３】
【数２】
0003937260.tif 000003
【００６４】
で表されるように記録電流Ｉ2 （プラス側及びマイナス側の波形でなる）を変換した後、記録ヘツド１４に供給する。
【００６５】
このとき記録ヘツド１４は、磁気テープの記録トラツク方向に対する相対速度が転送レートに応じて可変速制御されており、この状態においてロータリートランス１３を介してプラス側の波形分の記録電流Ｉ2 が矢印Ｘ2 に示す下方向に流れ、又はマイナス側の波形分の記録電流Ｉ2 が上方向に流れるように与えられ、これにより磁気テープ上に当該記録電流Ｉ2 に基づく磁化パターンを形成する。
【００６６】
かくしてこのデータレコーダ２０では、転送レートが異なる場合でも記録電流Ｉ2 のエツジ部分の高域成分の強調の働きを等化し、かつ被帯域の制限を等化して磁気テープ上に磁化パターンを形成し得るようになされている。
【００６７】
ここでデータレコーダ２０の第１の切換え器５は、図２に示すように、ＮＰＮ型の一対のトランジスタＱ１及びＱ２がエミツタ接合されてなる作動出力段３０を有するエミツタ接合差動トランジスタ構成でなり、この作動出力段３０のトランジスタＱ１のコレクタには第１の接点ａ1 が接続されていると共に、トランジスタＱ２のコレクタには第２の接点ｂ1 が接続され、さらにこれら一対のトランジスタＱ１及びＱ２のエミツタには出力端子ｃ1 が接続されている。
【００６８】
またこの第１の切換え器５では、供給される記録データＤ２のレベルをＴＴＬ（Transistor Transistor Logic circuit ）レベルからＥＣＬ（Emitter Coupled Logic circuit ）レベルに変換するレベル変換器３１の反転出力端に、コレクタ接地されたＮＰＮ型のエミツタフオロアトランジスタＱ３のベースが接続されていると共に、当該エミツタフオロアトランジスタＱ３のエミツタにエミツタ抵抗Ｒ１を介して第２の電圧源が接続され、さらにこのエミツタとエミツタ抵抗Ｒ１の接続中点Ｐ１にトランジスタＱ１のベースが接続されている。
【００６９】
さらにこの第１の切換え器５では、レベル変換器３１の非反転出力端にコレクタ接地されたＮＰＮ型のエミツタフオロアトランジスタＱ４のベースが接続されていると共に、当該エミツタフオロアトランジスタＱ４のエミツタにエミツタ抵抗Ｒ２を介して第２の電圧源が接続され、さらにこのエミツタとエミツタ抵抗Ｒ２の接続中点Ｐ２にトランジスタＱ２のベースが接続されている。
【００７０】
さらにレベル変換器３１の反転出力端とエミツタフオロアトランジスタＱ３のベースとの接続中点Ｐ３には、終端抵抗Ｒ３を介して第２の電圧源が接続されていると共に、非反転出力端とエミツタフオロアトランジスタＱ４のベースとの接続中点Ｐ４には、終端抵抗Ｒ４を介して第２の電圧源が接続されており、これら終端抵抗Ｒ３、Ｒ４及び接続中点Ｐ３、Ｐ４には、論理「０」レベルのときに− 1.8〔Ｖ〕程度の電圧が与えられ、論理「１」レベルのときに− 0.8〔Ｖ〕程度の電圧が与えられる。
【００７１】
これによりレベル変換器３１は、供給される記録データＤ２が論理「０」レベルに立ち下がつているときには、反転出力端からその論理「０」レベルを反転してなる論理「１」レベルに応じて− 0.8〔Ｖ〕程度の電圧をエミツタフオロアトランジスタＱ３のベースに供給すると共に、非反転出力端から論理「０」レベルに応じて− 1.8〔Ｖ〕程度の電圧をエミツタフオロアトランジスタＱ４のベースに供給する。
【００７２】
このときエミツタフオロアトランジスタＱ３のエミツタからは、そのベースに供給された電圧よりも 0.8〔Ｖ〕程度だけ低い− 1.6〔Ｖ〕程度の電圧をトランジスタＱ１のベースに供給すると共に、エミツタフオロアトランジスタＱ４のエミツタからは、そのベースに供給された電圧よりも 0.8〔Ｖ〕程度だけ低い− 2.6〔Ｖ〕程度の電圧をトランジスタＱ２のベースに供給する。
【００７３】
従つてトランジスタＱ１及びＱ２では、当該トランジスタＱ１のベース電位がトランジスタＱ２のベース電位よりも充分高い値となり、かくして第１の接点ａ1 のみからトランジスタＱ１のコレクタ及びエミツタを順次介して出力端子ｃ1 に記録元電流Ｉ1 が流れる。
【００７４】
またレベル変換器３１は、供給される記録データＤ２が論理「１」レベルに立ち上がつているときには、反転出力端からその論理「１」レベルを反転してなる論理「０」レベルに応じて− 1.8〔Ｖ〕程度の電圧をエミツタフオロアトランジスタＱ３のベースに供給すると共に、非反転出力端から論理「１」レベルに応じて− 0.8〔Ｖ〕程度の電圧をエミツタフオロアトランジスタＱ４のベースに供給する。
【００７５】
このときエミツタフオロアトランジスタＱ３のエミツタからは、そのベースに供給された電圧よりも 0.8〔Ｖ〕程度だけ低い− 2.6〔Ｖ〕程度の電圧をトランジスタＱ１のベースに供給すると共に、エミツタフオロアトランジスタＱ４のエミツタからは、そのベースに供給された電圧よりも 0.8〔Ｖ〕程度だけ低い− 1.6〔Ｖ〕程度の電圧をトランジスタＱ２のベースに供給する。
【００７６】
従つてトランジスタＱ１及びＱ２では、当該トランジスタＱ２のベース電位がトランジスタＱ１のベース電位よりも充分高い値となり、かくして第２の接点ｂ1 のみからトランジスタＱ２のコレクタ及びエミツタを順次介して出力端子ｃ1 に記録元電流Ｉ1 が流れる。
【００７７】
かくしてこの第１の切換え器５では、記録データＤ２に基づいて順次切換え動作を行うことができるようになされている。
【００７８】
因みに第２及び第３の切換え器６及び２５は、第１の接点ａ2 及びａ3 が接地接続されていると共に、第２の接点ｂ2 及びｂ3 に第１の切換え器５の出力端子ｃ1 が接続されていることにより、当該第１及び第２の接点ａ2 、ａ3 、ｂ2 、ｂ3 に供給される電圧が、第１の切換え器５の第１及び第２の接点ａ1 、ｂ1 に供給される電圧よりも低くなる。
【００７９】
このため第２及び第３の切換え器６及び２５では、上述した図２に示す第１の切換え器５の構成に加えて、エミツタフオロアトランジスタＱ３及びＱ４のエミツタと対応する接続中点Ｐ１及びＰ２との間にそれぞれ２つのダイオードが直列に接続されており、これによりエミツタフオロアトランジスタＱ３又はＱ４のエミツタからさらに２つのダイオード分だけ電圧降下させた電圧を対応するトランジスタＱ１又はＱ２のベースに供給するようになされている。
【００８０】
なおこの実施の形態の場合、クロツク逓倍器２３及び波形等化情報生成回路２２は、動作周波数の上限が予め所定周波数に設定されている。
【００８１】
このためクロツク逓倍器２３は、転送レート情報に基づいて第１のクロツク信号ＣＫ２の周波数が60〔ＭHz〕程度以上のときにはこの第１のクロツク信号ＣＫ２の周期を１逓倍（1/1 倍）し、また第１のクロツク信号ＣＫ２の周波数が30〔ＭHz〕程度から60〔ＭHz〕程度までのときにはこの第１のクロツク信号ＣＫ２の周期を２逓倍（1/2 倍）し、さらに第１のクロツク信号ＣＫ２の周波数が30〔ＭHz〕程度以下のときにはこの第１のクロツク信号ＣＫ２の周期を４逓倍（1/4 倍）するように設定されている。
【００８２】
このようにこのデータレコーダ２０では、転送レートが異なる場合でも、ほぼ同じ周期の第１のクロツク信号ＣＫ２に基づいて記録アンプ２１を動作させることができ、かくして記録アンプ２１を転送レートによらずに安定して動作させることができるようになされている。
【００８３】
またこの実施の形態に場合、記録電流Ｉ2 の被帯域を制限するには、当該被帯域の高域成分の持ち上がり（振幅の持ち上がり）を押さえる必要があるものの、記録アンプ２１内においては第１の電流ＩO −ＩE1と第３の電流ＩE1とを加算することしかできない構成となつている。
【００８４】
このため上述したように第１の可変電流源９から発生させる第１の電流ＩＯ−ＩＥ１の値を予め第３の電流ＩＥ１分だけ減算したような値にすることにより、被帯域を制限するときにのみ第１の電流ＩＯ−ＩＥ１に第３の電流ＩＥ１を加算せずに記録元電流Ｉ１としてすでに第３の電流ＩＥ１を減算した減算結果と同等の当該第１の電流ＩＯ−ＩＥ１を得て、これにより被帯域の高域成分の持ち上がりを押さえて当該被帯域を制限し得るようになされている。
【００８５】
（２）記録信号の生成処理
ここで実際上このデータレコーダ２０では、図３（Ａ）〜（Ｇ）に示すように、供給されるデイジタルデータＤ１の転送レートが比較的高く、第１のクロツク信号ＣＫ２の周波数が60〔ＭHz〕程度以上の場合、クロツク逓倍器２３が転送レート情報に基づいて第１のクロツク信号ＣＫ２（図３（Ａ））の周期Ｔを１逓倍し（第１のクロツク信号ＣＫ２の周期Ｔと変わらない）、得られる第２のクロツク信号ＣＫｎ（図３（Ｂ））を波形等化情報生成回路２２に送出する。
【００８６】
波形等化情報生成回路２２は、第２のクロツク信号ＣＫｎに基づいて、記録データＤ２（図３（Ｃ））が論理「１」レベルに立ち上がる時点と、論理「０」レベルに立ち下がる時点とを検出し、この検出結果に基づいて第２のクロツク信号ＣＫｎに同期させ、かつ記録データＤ２が論理「１」レベルに立ち上がる時点及び論理「０」レベルに立ち下がる時点からそれぞれこの第２のクロツク信号ＣＫｎの１周期Ｔの間だけ論理「１」レベルに立ち上がることによりこの論理「１」レベルにより転送レートに応じた高域成分の強調位置を示す第１のタイミング信号ＨＳ0 （図３（Ｄ））を生成する。
【００８７】
またこの波形等化情報生成回路２２は、その検出結果に基づいて第２のクロツク信号ＣＫｎに同期させ、記録データＤ２が論理「１」レベルに立ち上がる時点及び論理「０」レベルに立ち下がる時点からそれぞれその前後において第２のクロツク信号ＣＫｎの１周期Ｔの間だけ論理「０」レベルに立ち下がり、これ以外では論理「１」レベルに立ち上がることによりこの論理「０」レベルにより転送レートに応じた被帯域の制限の作用を行うための第２のタイミング信号ＨＳ１（図３（Ｅ））を生成する。
【００８８】
この後記録データＤ２及び第１のタイミング信号ＨＳ０並びに第２のタイミング信号ＨＳ１に基づいて対応する第１の切換え器５及び第２の切換え器６並びに第３の切換え器２５が切換え動作すると、トランスデユーサ７の１次側において第１の電流ＩＯ−ＩＥ１の高域成分の強調位置に第２の電流ＩＥＯが加算され、かつ当該第１の電流ＩＯ−ＩＥ１の被帯域に第３の電流ＩＥ１が加算されていない記録元電流Ｉ１（図３（Ｆ））を生成することができる。
【００８９】
そしてこの記録元電流Ｉ1 は、トランスデユーサ７により転送レートに応じて高域成分が強調され、かつ被帯域が制限されてなる記録電流Ｉ2 に変換され（図３（Ｇ））、当該記録電流Ｉ2 はこのトランスデユーサ７の２次側からロータリトランス１３を介して記録ヘツド１４に与えられる。
【００９０】
またこのデータレコーダ２０では、図４（Ａ）〜（Ｇ）に示すように、上述した図３（Ａ）〜（Ｇ）に示した場合よりもデイジタルデータＤ１の転送レートが低く、第１のクロツク信号ＣＫ２の周波数が30〔ＭHz〕程度から60〔ＭHz〕程度までの場合、クロツク逓倍器２３が転送レート情報に基づいて第１のクロツク信号ＣＫ２（図４（Ａ））の周期Ｔを２逓倍し（第１のクロツク信号ＣＫ２の周期Ｔに対して１周期が1/2 Ｔとなる）、得られる第２のクロツク信号ＣＫｎ（図４（Ｂ））を波形等化情報生成回路２２に送出する。
【００９１】
ところで転送レートが比較的高いとき（第１のクロツク信号ＣＫ２の周波数が60〔ＭHz〕程度以上の場合）には、記録ヘツド１４のもつインダクタンスと、記録ヘツド１４やロータリトランス１３等の浮遊容量とにより共振回路が生じ、このため転送レートが比較的低いとき（第１のクロツク信号ＣＫ２の周波数が60〔ＭHz〕程度よりも小さい場合）に比べて記録電流の高域成分の位相に遅れが生じる。
【００９２】
このため波形等化情報生成回路２２は、第１のタイミング信号ＨＳ０を生成する場合、第２のクロツク信号ＣＫｎに基づいて記録データＤ２（図４（Ｃ））が論理「１」レベルに立ち上がる時点と、論理「０」レベルに立ち下がる時点とを検出し、この検出結果に基づいて第２のクロツク信号ＣＫｎに同期させ、かつ記録データＤ２が論理「１」レベルに立ち上がる時点及び論理「０」レベルに立ち下がる時点からさらに第２のクロツク信号ＣＫｎの１周期（1/2Ｔ）の間だけ遅らせた時点から続く１周期（1/2Ｔ）の間だけ論理「１」レベルに立ち上がることによりこの論理「１」レベルにより転送レートに応じて位相を遅らせた高域成分の強調位置を示す第１のタイミング信号ＨＳ０（図４（Ｄ））を生成する。
【００９３】
またこの波形等化情報生成回路２２は、その検出結果に基づいて第２のクロツク信号ＣＫｎに同期させ、記録データＤ２が論理「１」レベルに立ち上がる時点及び論理「０」レベルに立ち下がる時点からそれぞれその前後において第２のクロツク信号ＣＫｎの１周期（1/2Ｔ）の間だけ論理「０」レベルに立ち下がり、これ以外では論理「１」レベルに立ち上がることによりこの論理「０」レベルにより転送レートに応じた被帯域の制限の作用を行うための第２のタイミング信号ＨＳ１（図４（Ｅ））を生成する。
【００９４】
この後記録データＤ２及び第１のタイミング信号ＨＳ０  並びに第２のタイミング信号ＨＳ１に基づいて対応する第１の切換え器５及び第２の切換え器６並びに第３の切換え器２５が切換え動作すると、トランスデユーサ７の１次側において第１の電流ＩＯ−ＩＥ１の位相を遅らせた高域成分の強調位置に第２の電流ＩＥＯが加算され、かつ当該第１の電流ＩＯ−ＩＥ１の被帯域に第３の電流ＩＥ１が加算されていない記録元電流Ｉ１（図４（Ｆ））を生成することができる。
【００９５】
そしてこの記録元電流Ｉ1 は、トランスデユーサ７により転送レートに応じて高域成分が強調されると共に、被帯域が制限され、第１のクロツク信号ＣＫ２の周期が１逓倍された時（以下、これを１逓倍時と呼ぶ）に生成される記録電流に合わせて高域成分の位相を遅らせた記録電流Ｉ2 に変換され（図４（Ｇ））、これを記録電流Ｉ2 はこのトランスデユーサ７の２次側からロータリトランス１３を介して記録ヘツド１４に与えられる。
【００９６】
さらにこのデータレコーダ２０では、図５（Ａ）〜（Ｇ）に示すように、上述した２逓倍時よりもデイジタルデータＤ１の転送レートが低く、第１のクロツク信号ＣＫ２の周波数が30〔ＭHz〕程度以下の場合、クロツク逓倍器２３が転送レート情報に基づいて第１のクロツク信号ＣＫ２（図５（Ａ））の周期Ｔを４逓倍し（第１のクロツク信号ＣＫ２の周期Ｔに対して１周期が1/4 Ｔとなる）、得られる第２のクロツク信号ＣＫｎ（図５（Ｂ））を波形等化情報生成回路２２に送出する。
【００９７】
波形等化情報生成回路２２は、第２のクロツク信号ＣＫｎに基づいて記録データＤ２（図５（Ｃ））が論理「１」レベルに立ち上がる時点と、論理「０」レベルに立ち下がる時点とを検出し、この検出結果に基づいてこの第２のクロツク信号ＣＫｎに同期させ、かつ記録データＤ２が論理「１」レベルに立ち上がる時点及び論理「０」レベルに立ち下がる時点からさらにこの第２のクロツク信号ＣＫｎの２周期（1/2Ｔ）の間だけ遅らせた時点から続く１周期（1/4Ｔ）の間だけ論理「１」レベルに立ち上がることによりこの論理「１」レベルにより高域成分の強調位置を示す第１のタイミング信号ＨＳ０  （図５（Ｄ））を生成する。
【００９８】
このようにしてこの波形等化情報生成回路２２では、第１のタイミング信号ＨＳ0 により上述した２逓倍時と同様にして１逓倍時に生成される記録電流Ｉ2 に合わせて高域成分の位相を遅れさせて高域成分の強調位置を示すようになされている。
【００９９】
またこの波形等化情報生成回路２２は、その検出結果に基づいて第２のクロツク信号ＣＫｎに同期させ、記録データＤ２が論理「１」レベルに立ち上がる時点及び論理「０」レベルに立ち下がる時点からそれぞれその前後において第２のクロツク信号ＣＫｎの１周期（1/4Ｔ）の間だけ論理「０」レベルに立ち下がり、これ以外では論理「１」レベルに立ち上がることによりその論理「０」レベルにより転送レートに応じた被帯域の制限の作用を行うための第２のタイミング信号ＨＳ１（図５（Ｅ））を生成する。
【０１００】
この後記録データＤ２及び第１のタイミング信号ＨＳ０  並びに第２のタイミング信号ＨＳ１に基づいて対応する第１の切換え器５及び第２の切換え器６並びに第３の切換え器２５が切換え動作すると、上述した２逓倍時と同様にしてトランスデユーサ７の１次側において第１の電流ＩＯ−ＩＥ１の位相を遅らせた高域成分の強調位置に第２の電流ＩＥＯが加算され、かつ当該第１の電流ＩＯ−ＩＥ１の被帯域に第３の電流ＩＥ１が加算されていない記録元電流Ｉ１（図５（Ｆ））を生成することができると共に、この記録元電流Ｉ１をトランスデユーサ７により転送レートに応じて高域成分が強調され、かつ被帯域が制限され、さらに１逓倍時に生成される記録電流に合わせて高域成分の位相を遅らせた記録電流Ｉ２（図５（Ｇ））に変換し得るようになされている。
【０１０１】
（３）動作及び効果
以上の構成において、このデータレコーダ２０では、記録データＤ２に応じた第１のクロツク信号ＣＫ２の周期を転送レートに応じた所定数で逓倍し、得られた第２のクロツク信号ＣＫｎ及び記録データＤ２に基づいて転送レートに応じた高域成分の強調位置を示す第１のタイミング信号ＨＳ0 及び被帯域の制限の作用を行うための第２のタイミング信号ＨＳ1 を生成する。
【０１０２】
そしてこのデータレコーダ２０では、第１の可変電流源９に転送レートに応じた記録電流の元となる第１の電流ＩＯ−ＩＥ１を発生させると共に、第２の可変電流源１０に転送レートに応じた高域成分の強調量でなる第２の電流ＩＥＯを発生させ、さらに第３の可変電流源２６に被帯域の高域成分の補正値でなる第３の電流ＩＥ１を発生させ、この状態において第１〜第３の切換え器５及び６並びに２５を対応する記録データＤ２及び第１のタイミング信号ＨＳ０並びに第２のタイミング信号ＨＳ１に基づいて切換え動作させることにより、第１の電流ＩＯ−ＩＥ１の高域成分の強調位置に第２の電流ＩＥＯを加算し、かつ当該第１の電流ＩＯ−ＩＥ１の被帯域に第３の電流ＩＥ１を加算していない記録元電流Ｉ１を生成する。
【０１０３】
この後このデータレコーダ２０では、トランスデユーサ７において記録元電流Ｉ1 を転送レートに応じてエツジ部分の高域成分が強調され、かつ被帯域が制限された記録電流Ｉ2 に変換し、これをロータリトランス１３を介して記録ヘツド１４に与えることにより、磁気テープ上に記録電流Ｉ2 に基づいて磁化パターンを形成する。
【０１０４】
従つてこのデータレコーダ２０では、転送レートが異なる場合でも記録電流Ｉ２のエツジ部分の高域成分を転送レートに応じた強調量でなる第２の電流ＩＥＯによつて強調し、かつ被帯域の高域成分の振幅を当該被帯域の高域成分の補正値でなる第３の電流ＩＥ１によつて制限するようにして当該記録電流Ｉ２の高域成分の強調の働きを等化させると共に、被帯域の制限を等化させることから、この磁気テープ上の磁化パターンをほぼ一致させることができる。
【０１０５】
またこのデータレコーダ２０では、波形等化情報生成回路２２が第１のクロツク信号ＣＫ２の周期を２逓倍及び４逓倍してなる第２のクロツク信号ＣＫｎに基づいて動作したとき、１逓倍時に生成される記録電流Ｉ2 に合わせて高域成分の位相を遅れさせた強調位置を示す第１のタイミング信号ＨＳ0 を生成するため、転送レートに応じた高域成分の強調及び被帯域の制限のみならず、転送レートが異なる場合でも高域成分の位相をほぼ一致させることができる。
【０１０６】
さらにこのデータレコーダ２０では、上述した図３及び図４からも明らかなように、１逓倍時及び２逓倍時に記録電流Ｉ2 の比較的短い波長の波形（すなわち第１のクロツク信号ＣＫ２の１周期分及び２周期分で論理「１」レベルに立ち上がつている波形）に対しては被帯域を制限せず、比較的長い波長の波形のみ被帯域を制限し、また上述した図５からも明らかなように４逓倍時には記録電流Ｉ2 の全ての波長の波形に対して被帯域を制限する。
【０１０７】
すなわちこのデータレコーダ２０では、転送レートが高い場合（すなわち１逓倍時及び２逓倍時）、記録ヘツド１４のもつインダクタンスと、記録ヘツド１４やロータリトランス１３等の浮遊容量とによる共振の影響により、生成される記録電流Ｉ2 の比較的短い波長の波形に対しては被帯域を制限しなくても４逓倍時に生成される記録電流Ｉ2 の比較的短い波長の波形とほぼ同等に被帯域が制限された状態となつている。従つてこのデータレコーダ２０では、１逓倍時及び２逓倍時に記録電流Ｉ2 の比較的短い波長の波形に対して余分に帯域制限することを防止することができる。
【０１０８】
さらにこのデータレコーダ２０では、クロツク逓倍器２３において転送レートが低くなる（すなわち第１のクロツク信号ＣＫ２の周期が長くなる）毎に第１のクロツク信号ＣＫ２の周期の逓倍数を増加させているため、当該クロツク逓倍器２３及び波形等化情報生成回路２２を予め設定された動作周波数の上限内でのほぼ同じ動作周波数により安定して動作させることができる。
【０１０９】
さらにこのデータレコーダ２０では、スイツチングアンプ構成でなる記録アンプ２１内において転送レートが異なる場合でもその転送レートに応じて高域成分を強調し、かつ被帯域を制限してなる記録電流Ｉ2 を生成することができるため、従来のような線形の第１及び第２の記録アンプを用いたデータレコーダのように転送レートに応じて複数のフイルタを備える必要がなく、従つて従来の線形の第１及び第２の記録アンプを用いたデータレコーダに比べて消費電力を低減させることができると共に、放熱板を必要とせずに回路構成を簡易化することができ、かくして装置全体を大幅に小型化することができる。
【０１１０】
以上の構成によれば、記録データＤ２に応じた第１のクロツク信号ＣＫ２の周期を転送レートに応じた所定数で逓倍することにより第２のクロツク信号ＣＫｎを生成し、当該第１のクロツク信号ＣＫ２ｎ及び記録データＤ２に基づいて、転送レートに応じて高域成分を強調し、かつ被帯域を制限してなる記録電流Ｉ2 を生成するようにしたことにより、転送レートが異なる場合でも記録電流Ｉ2 の高域成分の強調の働きを等化させると共に、被帯域の制限を等化させて周波数特性をほぼ一致させることができ、かくして転送レートが異なる場合でも磁気テープ上にほぼ同一な磁化パターンを形成することができる。
【０１１１】
（４）他の実施の形態
なお上述の実施の形態においては、第１のクロツク信号ＣＫ２を１逓倍、２逓倍、４逓倍すると共に、高域成分の強調用及び被帯域の制限用としてそれぞれ１つの第２及び第３の切換え器６及び２５と、第２及び第３の可変電流源１０及び２６とを設けるようにした場合について述べたが、本発明はこれに限らず、第１のクロツク信号ＣＫ２を転送レートに応じて３逓倍以上の種々の所定数で逓倍したり、高域成分の強調用及び被帯域の制限用としてそれぞれ切換え器及び可変電流源を複数設けるようにしても良い。これにより上述した実施の形態よりも高域成分及び被帯域をさらに細かく高精度に強調及び制限することができる。
【０１１２】
ここで図１との対応部分に同一符号を付して示す図６及び図７（Ａ）〜（Ｈ）は他の実施の形態によるデータレコーダの記録アンプ４０を示し、転送レートに応じて第１のクロツク信号ＣＫ２（図７（Ａ））の周期Ｔを例えば８逓倍するクロツク逓倍器４１と、第１〜第３のタイミング信号ＨＳ0 、ＨＳ1 、ＨＳ2 を生成する波形等化情報生成回路４２と、第４の切換え器４３と、第４の可変電流源４４とが設けられていることを除いて上述した実施の形態によるデータレコーダ２０の記録アンプ２１と同様に構成されている。
【０１１３】
この場合波形等化情報生成回路４２は、まず第１のクロツク信号ＣＫ２の周期Ｔが８逓倍された周期でなる第２のクロツク信号ＣＫｎ（図７（Ｂ））に基づいて、記録データＤ２（図７（Ｃ））が論理「１」レベルに立ち上がる時点及び論理「０」レベルに立ち下がる時点を検出し、当該検出結果に基づいてその第２のクロツク信号ＣＫｎに同期させ、論理「１」レベルに立ち上がる時点及び論理「０」レベルに立ち下がる時点からさらにその第２のクロツク信号ＣＫｎの２周期の間だけ遅らせた時点から当該第２のクロツク信号ＣＫｎの３周期の間だけ論理「１」レベルに立ち上がることにより転送レートに応じたエツジ部分の高域成分の強調位置を示す第１のタイミング信号ＨＳ0 （図７（Ｄ））を生成する。
【０１１４】
またこの波形等化情報生成回路４２は、記録データＤ２が論理「１」レベルに立ち上がる時点及び論理「０」レベルに立ち下がる時点からそれぞれその前後において第２のクロツク信号ＣＫｎの１周期の間だけ論理「０」レベルに立ち下がり、これ以外では論理「１」レベルに立ち上がることにより転送レートに応じた第１の被帯域の制限の作用を行うための第２のタイミング信号ＨＳ1 （図７（Ｅ））を生成し、さらに記録データＤ２が論理「１」レベルに立ち上がる時点及び論理「０」レベルに立ち下がる時点からそれぞれその前後において第２のクロツク信号ＣＫｎの３周期の間だけ論理「０」レベルに立ち下がり、これ以外では論理「１」レベルに立ち上がることにより転送レートに応じた第２の被帯域の制限の作用を行うための第３のタイミング信号ＨＳ2 （図７（Ｆ））を生成する。
【０１１５】
そして波形等化情報生成回路４２は、これら第１〜第３のタイミング信号ＨＳ０、ＨＳ１、ＨＳ２を対応する第２〜第４の切換え器６、２５及び４３に送出して切換え動作させる。これによりトランスデユーサ７の１次側において第１の電流ＩＯ−ＩＥ１−ＩＥ２の高域成分の強調位置に第２の電流ＩＥＯが加算されると共に、当該第１の電流ＩＯ−ＩＥ１−ＩＥ２の第１又は第２の被帯域の位置にそれぞれ第３の電流ＩＥ１又は第４の可変電流源４４から発生される第４の電流ＩＥ２が加算されていない記録元電流（図７（Ｇ））が生成され、これをトランスデユーサ７により転送レートに応じてエツジ部分の高域成分が強調され、かつ被帯域が２段階に分けられて制限された記録電流（図７（Ｈ））に変換する。
【０１１６】
これによりこの記録アンプ４０においては、上述した実施の形態によるデータレコーダ２０よりも被帯域をさらに細かく、かつ精度を上げて制限することができ、かくして転送レートが異なる場合でも磁化パターンをさらに精度良く一致させることができる。
【０１１７】
また上述の実施の形態においては、本発明を回転ヘツドを用いたヘリカルスキヤン方式のデータレコーダ２０に適用するようにした場合について述べたが、本発明はこれに限らず、所定データを転送レートを換えて記録することができれば固定ヘツド型のデータレコーダや、映像データ及び又は音声データを磁気テープ又は磁気デイスク等の種々の記録媒体に記録し得るデータ記録装置等のように、この他種々のデータ記録装置に適用するようにしても良い。
【０１１８】
さらに上述の実施の形態においては、信号処理回路２に外部からデイジタルデータＤ１を取り込むようにした場合について述べたが、本発明はこれに限らず、アナログでなる記録信号を信号処理回路に取り込み、当該信号処理回路においてこの記録信号をアナログ／デイジタル変換した後、記録用信号処理を施すようにしても良い。
【０１１９】
さらに上述の実施の形態においては、記録データに応じた第１のクロツク信号が供給され、当該供給された第１のクロツク信号の周期を転送レートに応じて予め設定された所定数により逓倍し、第２のクロツク信号を生成するクロツク信号生成手段として、クロツク逓倍器２３を適用するようにした場合について述べたが、本発明はこれに限らず、転送レートに応じた所定数により第１のクロツク信号の周期を逓倍することができれば、この他種々のクロツク信号生成手段を適用するようにしても良い。
【０１２０】
さらに上述の実施の形態においては、供給される記録データと、クロツク信号生成手段から得られる第２のクロツク信号とに基づいて、転送レートに応じて高域成分を強調し、かつ当該転送レートに応じて被帯域を制限してなる記録データに応じた記録電流を生成する記録電流生成手段として、波形等化情報生成回路２２、制御回路２４、第１〜第３の切換え器５及び６並びに２５、第１〜第３の可変電流源９及び１０並びに２６、トランスデユーサ７を適用するようにした場合について述べたが、本発明はこれに限らず、要は転送レートが異なる場合でも、その転送レートに応じて高域成分を強調し、かつ被帯域を制限してなる記録電流を生成することができれば、この他種々の構成でなる記録電流生成手段を適用するようにしても良い。
【０１２１】
さらに上述の実施の形態においては、記録電流生成手段から得られる記録電流に基づいて記録媒体に記録データを記録する記録手段として、ロータリートランス１３及び記録ヘツド１４を適用するようにした場合について述べたが、本発明はこれに限らず、この他種々の記録手段を適用するようにしても良い。
【０１２２】
さらに上述の実施の形態においては、記録データと、第２のクロツク信号とに基づいて、転送レートに応じた高域成分の強調位置を示す少なくとも一種類の第１のタイミング信号と、転送レートに応じた被帯域の制限の作用を行うための少なくとも一種類の第２のタイミング信号とを生成するタイミング信号生成手段として、波形等化情報生成回路２２及び制御回路２４を適用するようにした場合について述べたが、本発明はこれに限らず、この他種々の構成でなるタイミング信号生成手段を適用するようにしても良い。
【０１２３】
さらに上述の実施の形態においては、転送レートに応じた記録電流の元となる第１の電流を発生する第１の電流発生手段として、第１の可変電流電９、制御回路２４を適用するようにした場合について述べたが、本発明はこれに限らず、この他種々の構成でなる第１の電流発生手段を適用するようにしても良い。
【０１２４】
さらに上述の実施の形態においては、タイミング信号生成手段によつて生成される第１のタイミング信号の種類に対応して設けられ、タイミング信号生成手段から得られる対応する第１のタイミング信号に基づいて転送レートに応じた高域成分の強調量でなる第２の電流を発生する少なくとも１つの第２の電流発生手段として、制御回路２４、第２の切換え器６、第２の可変電流源１０、第１の切換え器５を適用するようにした場合について述べたが、本発明はこれに限らず、この他種々の構成でなる第２の電流発生手段を適用するようにしても良い。
【０１２５】
さらに上述の実施の形態においては、タイミング信号生成手段によつて生成される第２のタイミング信号の種類に対応して設けられ、タイミング信号生成手段から得られる対応する第２のタイミング信号に基づいて転送レートに応じた被帯域の制限のための第３の電流を発生する少なくとも１つの第３の電流発生手段として、制御回路２４、第３の切換え器２５、第３の可変電流源２６、第１の切換え器５を適用するようにした場合について述べたが、本発明はこれに限らず、この他種々の構成でなる第３の電流発生手段をを適用するようにしても良い。
【０１２６】
さらに上述の実施の形態においては、第１及び第２並びに第３の電流発生手段から得られる第１及び第２並びに第３の電流に基づいて記録電流を生成する電流生成手段として、トランスデユーサ７を適用するようにした場合について述べたが、本発明はこれに限らず、この他種々の構成でなる電流生成手段を適用するようにしても良い。
【０１２７】
【発明の効果】
上述のように本発明によれば、記録データに応じた第１のクロツク信号が供給され、当該供給された第１のクロツク信号の周期を転送レートが高くなるにつれて値が小さくなるように予め設定された所定数により逓倍し、第２のクロツク信号を生成するクロツク信号生成手段と、供給される記録データと、クロツク信号生成手段から得られる第２のクロツク信号とに基づいて、転送レートが高いほど大きな強調量で高域成分を強調し、かつ振幅の補正値で被帯域を制限してなる記録データに応じた記録電流を生成する記録電流生成手段と、当該記録電流生成手段から得られる記録電流に基づいて記録媒体に記録データを記録する記録手段とを設けるようにしたことにより、転送レートが異なる場合でも記録電流に対して高域成分の強調の働きを等化すると共に、被帯域の制限を等化し、記録電流の周波数特性をほぼ一致させることができ、かくして転送レートが異なる場合でも記録媒体上にほぼ同一な磁化パターンを形成し得るデータ記録装置を実現することができる。
【図面の簡単な説明】
【図１】本発明によるデータレコーダの構成の一実施の形態を示すブロツク図である。
【図２】第１の切換え器の構成を示す接続図である。
【図３】  1/1 逓倍時の記録電流の生成処理の説明に供する波形図である。
【図４】  1/2 逓倍時の記録電流の生成処理の説明に供する波形図である。
【図５】  1/4 逓倍時の記録電流の生成処理の説明に供する波形図である。
【図６】他の実施の形態によるデータレコーダの記録アンプの構成を示すブロツク図である。
【図７】他の実施の形態による1/8 逓倍時の記録電流の生成処理の説明に供する波形図である。
【図８】従来のデータレコーダの構成を示すブロツク図である。
【図９】従来のデータレコーダにおける記録電流の生成処理の説明に供する波形図である。
【符号の説明】
２……信号処理回路、５……第１の切換え器、６……第２の切換え器、７……トランスデユーサ、９……第１の可変電流源、１０……第２の可変電流源、１２……接続点、１３……ロータリートランス、１４……記録ヘツド、２０……データレコーダ、２１、４０……記録アンプ、２２、４２……波形等化情報生成回路、２３、４１……クロツク逓倍器、２４……制御回路、２５……第３の切換え器、２６……第３の可変電流源、４３……第４の切換え器、４４……第４の可変電流源、Ｄ２……記録データ、ＣＫ２……第１のクロツク信号、ＣＫｎ……第２のクロツク信号、ＨＳ0 ……第１のタイミング信号、ＨＳ1 ……第２のタイミング信号、ＨＳ2 ……第３のタイミング信号、ＩO −ＩE1、ＩO −ＩE1−ＩE2……第１の電流、ＩEO……第２の電流、ＩE1……第３の電流、ＩE2……第４の電流、Ｉ2 ……記録電流。
【図１】
0003937260.tif 000004
【図２】
0003937260.tif 000005
【図３】
0003937260.tif 000006
【図４】
0003937260.tif 000007
【図５】
0003937260.tif 000008
【図６】
0003937260.tif 000009
【図７】
0003937260.tif 000010
【図８】
0003937260.tif 000011
【図９】
0003937260.tif 000012